(57)【要約】      （修正有）【課題】エレベータの乗りかごに設置された照明装置の保守点検作業を容易に行なうことができるエレベータの乗りかご用かご室および乗りかごを提供する。【解決手段】エレベータの乗りかごは底面と、側面１３と、側面１３に連結手段３０を介して連結された天井１４とを備えている。連結手段３０は側面１３と天井１４との間の距離を調整できる。この連結手段３０によって天井１４は側面に対して乗りかごが運転される第１位置と、第１位置より下方であって乗りかごの保守作業が行なわれる第２位置とをとることができる。【選択図】図１
2010173788.tif 000002
【特許請求の範囲】
【請求項１】
エレベータの乗りかご用かご室において、
底面と、
底面に固定された複数の側面と、
各側面に連結手段を介して連結された天井とを備え、
各連結手段は、対応する側面と天井との間の距離を調整でき、これによって、天井は各側面に対して乗りかごが運転されている場合に設定される第１位置、および乗りかごの保守作業が行われている場合に設定される第１位置より下方の第２位置をとることができることを特徴とするエレベータの乗りかご用かご室。
【請求項２】
各々の側面と天井との間であって対応する連結手段よりも内側に配置されたスペーサーを更に備え、
各スペーサーは、天井が第１位置にあるとき、対応する側面と天井との間の距離に一致する高さを有するとともに、対応する側面の幅に一致する幅を有することを特徴とする請求項１に記載のエレベータの乗りかご用かご室。
【請求項３】
前記天井は、水平板と、水平板の周縁から上方へ立ち上がる立上板と、立上板の上端から水平方向外方に延び連結手段に係合する耳部とを有し、天井が第１位置をとるとき、各側面の上方部分は側方からみたとき立上板と互いに重なることを特徴とする請求項１に記載のエレベータの乗りかご用かご室。
【請求項４】
各連結手段は、各側面と天井との間に介挿されたジャッキアップボルトを有することを特徴とする請求項１乃至３のいずれかに記載のエレベータの乗りかご用かご室。
【請求項５】
各連結手段のジョッキアップボルトに、モーターからなる調整機構が連結されていることを特徴とする請求項４に記載のエレベータの乗りかご用かご室。
【請求項６】
前記調整機構のモーターは、遠隔制御により制御されることを特徴とする請求項５に記載のエレベータの乗りかご用かご室。
【請求項７】
エレベータの乗りかご用かご室と、
鉛直方向に延び、前記乗りかご用かご室を支持する一対の立枠と、
水平方向に延び、前記一対の立枠に連結されるとともに、前記乗りかご用かご室の上方に前記乗りかご用かご室と所定間隔をおいて配置された上梁と、
水平方向に延び、前記一対の立枠に連結されるとともに、前記乗りかご用かご室の下方に位置する下梁と、を備え、
前記乗りかご用かご室は、底面と、底面に固定された複数の側面と、各側面に連結された天井とを有し、
前記上梁は、前記一対の立枠にそれぞれ連結された一対の端部と、一対の端部の間に位置する中央部とからなり、この中央部は、各端部に対して取り外し可能となっていることを特徴とするエレベータの乗りかご。
【発明の詳細な説明】
【技術分野】
【０００１】
本発明は、エレベータの乗りかご用かご室およびエレベータの乗りかごに係り、とりわけエレベータの乗りかごに設置された照明装置の保守点検作業を容易に行なうことができるエレベータの乗りかご用かご室およびエレベータの乗りかごに関する。
【背景技術】
【０００２】
図９に示すように、従来より、ロープ２０により支持されるエレベータの乗りかご１０が知られている。このような乗りかご１０はかご室１１と、鉛直方向に延びてかご室１１を支持する一対の立枠１６，１６と、水平方向に延びるとともに、一対の立枠１６，１６に連結された上梁１７と、水平方向に延びるとともに一対の立枠１６，１６に連結された下梁１５とを備えている。
【０００３】
このうち、かご室１１は、底面１２と、４つの側面１３，１３，１３，１３と、各側面に連結された天井１４とを有し、４つの側面１３，１３，１３，１３と天井１４とはボルト２４と、ナット２５とにより連結されている。
【０００４】
このようなエレベータの乗りかごの構造を示すものとして、従来より例えば特許文献１および特許文献２に示すものが知られている。
【０００５】
ところで、かご室１１の天井１４には照明装置２１が設置され、この照明装置２１には蛍光灯２２が内蔵されている（図１０（ａ）（ｂ）参照）。
【０００６】
エレベータの乗りかご１０の保守点検時には、照明装置２１の蛍光灯２２を交換したり清掃したりしている。
【０００７】
しかしながら照明装置２１の蛍光灯２２を交換したり清掃する際、天井１４と上梁１７との距離が短く、作業性が良くない、という問題がある。
【先行技術文献】
【特許文献】
【０００８】
【特許文献１】特開平８−１０４４８２号公報
【特許文献２】特開２００７−２３０６９３号公報
【発明の概要】
【発明が解決しようとする課題】
【０００９】
本発明はこのような点を考慮してなされたものであり、エレベータの乗りかごの保守点検時に照明装置の蛍光灯を交換したり清掃したりする際、天井と上梁との距離を容易に大きくすることができるエレベータの乗りかご用かご室およびエレベータの乗りかごを提供することを目的とする。
【課題を解決するための手段】
【００１０】
本発明は、エレベータの乗りかご用かご室において、底面と、底面に固定された複数の側面と、各側面に連結手段を介して連結された天井とを備え、各連結手段は、対応する側面と天井との間の距離を調整でき、これによって、天井は各側面に対して乗りかごが運転されている場合に設定される第１位置、および乗りかごの保守作業が行われている場合に設定される第１位置より下方の第２位置をとることができることを特徴とするエレベータの乗りかご用かご室である。
【００１１】
本発明は、各々の側面と天井との間であって対応する連結手段よりも内側に配置されたスペーサーを更に備え、各スペーサーは、天井が第１位置にあるとき、対応する側面と天井との間の距離に一致する高さを有するとともに、対応する側面の幅に一致する幅を有することを特徴とするエレベータの乗りかご用かご室である。
【００１２】
本発明は、前記天井は、水平板と、水平板の周縁から上方へ立ち上がる立上板と、立上板の上端から水平方向外方に延び連結手段に係合する耳部とを有し、天井が第１位置をとるとき、各側面の上方部分は側方からみたとき立上板と互いに重なることを特徴とするエレベータの乗りかご用かご室である。
【００１３】
本発明は、各連結手段は、各側面と天井との間に介挿されたジョッキアップボルトを有することを特徴とするエレベータの乗りかご用かご室である。
【００１４】
本発明は、各連結手段のジャッキアップボルトに、モーターからなる調整機構が連結されていることを特徴とするエレベータの乗りかご用かご室である。
【００１５】
本発明は、前記調整機構のモーターは、遠隔制御により制御されることを特徴とするエレベータの乗りかご用かご室である。
【００１６】
本発明は、エレベータの乗りかご用かご室と、鉛直方向に延び、前記乗りかご用かご室を支持する一対の立枠と、水平方向に延び、前記一対の立枠に連結されるとともに、前記乗りかご用かご室の上方に前記乗りかご用かご室と所定間隔をおいて配置された上梁と、水平方向に延び、前記一対の立枠に連結されるとともに、前記乗りかご用かご室の下方に位置する下梁と、を備え、前記乗りかご用かご室は、底面と、底面に固定された複数の側面と、各側面に連結された天井とを有し、前記上梁は、前記一対の立枠にそれぞれ連結された一対の端部と、一対の端部の間に位置する中央部とからなり、この中央部は、各端部に対して取り外し可能となっていることを特徴とするエレベータの乗りかごである。
【発明の効果】
【００１７】
以上説明したように、本発明によれば、連結手段の鉛直方向の高さを調整することにより、天井を各側面に対して第１位置までもってくる。そしてこの状態で乗りかごを運転することができる。次に連結手段の鉛直方向の高さを調整することにより天井を引き下げて、天井を各側面に対して第２位置までもってくる。このことにより、天井と上梁との間の距離を大きくとることができ、天井に設置された照明装置の蛍光灯を交換したりする保守作業を容易かつ簡単に行なうことができる。
【図面の簡単な説明】
【００１８】
【図１】図１（ａ）（ｂ）は本発明の第１の実施例の形態における側面と天井の連結構造を示す図。
【図２】図２（ａ）はエレベータの乗りかごを示す側面図、図２（ｂ）はエレベータの乗りかごを示す平面図。
【図３】エレベータの乗りかご用かご室を示す側面図。
【図４】図４（ａ）（ｂ）は、本発明の第２の実施の形態における側面と天井の連結構造を示す図。
【図５】図５（ａ）（ｂ）は、本発明の第３の実施の形態における側面と天井の連結構造を示す図。
【図６】図６（ａ）は、本発明の第４の実施の形態におけるエレベータの乗りかごを示す側断面図、図６（ｂ）はその側面と天井の連結構造を示す図。
【図７】図７（ａ）は、本発明の第５の実施の形態におけるエレベータの乗りかごを示す斜視図。
【図８】図８（ａ）は、一対の端部に中央部が連結された状態を示す側面図であって、図８（ｂ）はそのＢ−Ｂ線断面図、図８（ｃ）は一対の端部間に連結材４５が設けられた状態を示す側面図であって、図８（ｄ）はそのＤ−Ｄ線断面、図８（ｅ）は一対の端部間から中央部を取外した状態を示す図であって、図８（ｆ）はそのＦ−Ｆ線断面図。
【図９】図９は従来のエレベータの乗りかごを示す斜視図。
【図１０】図１０（ａ）はエレベータの乗りかごを示す概略側面図、図１０（ｂ）はエレベータの乗りかごを示す拡大図。
【発明を実施するための形態】
【００１９】
第一の実施の形態
以下、図面を参照して本発明の第１の実施の形態について説明する。
【００２０】
図１（ａ）（ｂ）乃至図３は、本発明の第１の実施の形態を示す図である。まず図２および図３により発明によるエレベータの乗りかご１０について説明する。エレベータの乗りかご１０はエレベータの乗りかご用かご室１１と、鉛直方向に延び乗りかご用かご室１１を支持する一対の立枠１６と、水平方向に延び一対の立枠１６に連結されるとともに乗りかご用かご室１１の上方にかご室１１と所定間隔をおいて配置された上梁１７と、水平方向に延び一対の立枠１６に連結されるとともに乗りかご用かご室１１の下方に位置する下梁１５とを備えている。
【００２１】
また乗りかご用かご室１１は図３に示すように、底面１２と、底面１２に固定された４つの側面１３，１３，１３，１３と、各側面１３，１３，１３，１３に連結された天井１４とを有している。４つの側面１３，１３，１３，１３のうち、一つの側面１３は開閉用側面となっている。
【００２２】
さらにかご室１１の天井１４には照明装置２１が設置され、この照明装置２１には複数の蛍光灯２２が内蔵されている。またかご室１１の天井１４と上梁１７との間には上述のように所定の間隔が形成されている。
【００２３】
このような構成からなるエレベータの乗りかご１０は図２（ａ）（ｂ）に示すように、昇降路１内をガイドレール２に沿って上下方向に昇降できる。すなわちエレベータの乗りかご１０はロープ２０により吊り下げられて支持されており、乗りかご１０を吊り下げて支持するロープ２０は巻上機５およびシーブ６に巻け渡されて、吊り合いおもり７に連結されている。そして巻上機５によりロープ２０を駆動することにより、乗りかご１０はガイドレール２に沿って昇降路１内を上下方向に昇降することができる。
【００２４】
ところで図１（ａ）（ｂ）に示すように、乗りかご用かご室１１の天井１４は各側面１３，１３，１３，１３に、頭部３０ａを有するジャッキアップボルト（連結手段）３０を介して連結されている。このジャッキアップボルト３０は対応する側面１３と、天井１４との間の距離を調整可能に側面１３と天井１４とを連結する。
【００２５】
具体的にはジャッキアップボルト３０は側面１３の上端から水平方向外方に延びる耳部１３ａと、天井１４とを貫通し、このジャッキアップボルト３０に、上部ナット３１と下部ナット３２とが係合している。そして上部ナット３１と下部ナット３２とを緩め、ジャッキアップボルト３０の頭部３ａを回動させ、側面１３に対して天井１４を昇降させた後、上部ナット３１を天井１４に対して締め付け、下部ナット３２を側面１３の耳部１３ａに対して締め付け、このようにして側面１３と天井１４との間の距離を調整することができる。なお、各側面１３の上端と天井１４との間に、側面１３と天井１４との間の隙間を埋めるスペーサー３３が配置され、このスペーサー３３により各側面１３と天井１４との間を密閉することができる。
【００２６】
この場合、スペーサー３３は天井１４が第１位置にあるとき、対応する側面１３と天井１４との間の距離に一致する高さと、側面１３の幅に一致する幅を有している。
【００２７】
次にこのような構成からなる本実施の形態の作用について説明する。
【００２８】
まず図１（ａ）（ｂ）に示すように、エレベータの乗りかご用かご室１１において、各側面１３の上端と天井１４との間の隙間にスペーサー３３を介在させ、ジャッキアップボルト３０に取付けられた上部ナット３１を天井１４に対して締め付けるとともに、下部ナット３２を側面１３の耳部１３ａに対して締め付ける。このようにして天井１４は各側面１３に対して第１位置をとることができる（図１（ａ）に示す位置）。
【００２９】
天井１４を各側面１３に対して第１位置に固定した後、エレベータの乗りかご１０を運転することができる。
【００３０】
次にエレベータの乗りかご１０の保守点検時に、ジャッキアップボルト３０に取付けられた上部ナット３１を天井１４から緩めるとともに、下部ナット３２を側面１３の耳部１３ａから緩める。次に各側面１３の上端と天井１４との間からスペーサー３３を取外し、次にジャッキアップボルト３０の頭部３０ａを回動させて、各側面１３に対して天井１４を降下させる。
【００３１】
次に上部ナット３１を天井１４に対して締め付け、下部ナット３２を側面１３の耳部１３ａに対して締め付ける。このようにして各側面１３に対して天井１４を第２位置までもってきて固定することができる（図１（ｂ）に示す位置）。
【００３２】
このように各側面１３に対して天井１４を降下させて第２位置までもってくることによって、天井１４と上梁１７との間の距離を大きくとることができ、作業者は照明装置２１の蛍光灯２２の交換、清掃等の保守作業を天井１４と上梁１７との間の空間を利用して容易かつ簡単に行なうことができる。
【００３３】
第２の実施の形態
次に本発明の第２の実施の形態について、図４（ａ）（ｂ）により説明する。図４（ａ）（ｂ）に示す第２の実施の形態はジャッキアップボルト３０の構造が異なるのみであり、他の構成は図１（ａ）（ｂ）乃至図３に示す第１の実施の形態と同一である。
【００３４】
図４（ａ）（ｂ）に示す第２の実施の形態において、図１（ａ）（ｂ）乃至図３に示す第１の実施の形態と同一部分には同一符号を付して詳細な説明は省略する。
【００３５】
図４（ａ）（ｂ）に示すように、各側面１３の耳部１３ａと天井１４とを貫通してジャッキアップボルト３０が設けられている。そしてこのジャッキアップボルト３０の頭部３０ａにモーター軸３５ｂを介してモーター（調整機構）３５ａが連結され、このモーター３５ａによってジャッキアップボルト３０を回動させることができる。
【００３６】
次にこのような構成からなる本実施の形態の作用について説明する。
【００３７】
まず図４（ａ）（ｂ）に示すように、エレベータの乗りかご用かご室１１において、各側面１３の上端と天井１４との間の隙間にスペーサー３３を介在させ、ジャッキアップボルト３０に取付けられた上部ナット３１を天井１４に対して締め付けるとともに、下部ナット３２を側面１３の耳部１３ａに対して締め付ける。このようにして天井１４は各側面１３に対して第１位置をとることができる（図４（ａ）に示す位置）。
【００３８】
天井１４を各側面１３に対して第１位置に固定した後、エレベータの乗りかご１０を運転することができる。
【００３９】
次にエレベータの乗りかご１０の保守点検時に、ジャッキアップボルト３０に取付けられた上部ナット３１を天井１４から緩めるとともに、下部ナット３２を側面１３の耳部１３ａから緩める。次に各側面１３の上端と天井１４との間からスペーサー３３を取外し、次にモーター３５ａによってジャッキアップボルト３０の頭部３ａを回動させ、各側面１３に対して天井１４を降下させる。
【００４０】
次に上部ナット３１を天井１４に対して締め付け、下部ナット３２を側面１３の耳部１３ａに対して締め付ける。このようにして各側面１３に対して天井１４を第２位置までもってきて固定することができる（図４（ｂ）に示す位置）。
【００４１】
このように各側面１３に対して天井１４を降下させて第２位置までもってくることによって、天井１４と上梁１７との間の距離を大きくとることができ、作業者は照明装置２１の蛍光灯２２の交換、清掃等の保守作業を天井１４と上梁１７との間の空間を利用して容易かつ簡単に行なうことができる。
【００４２】
また天井１４をモーター３５ａにより上昇または降下させることができ、このため天井１４の昇降作業を容易に行なうことができる。
【００４３】
第３の実施の形態
次に本発明の第３の実施の形態について、図５（ａ）（ｂ）により説明する。図５（ａ）（ｂ）に示す第３の実施の形態はジャッキアップボルト３０の構造が異なるのみであり、他の構成は図１（ａ）（ｂ）乃至図３に示す第１の実施の形態および図４（ａ）（ｂ）に示す第２の実施の形態と同一である。
【００４４】
図５（ａ）（ｂ）に示す第２の実施の形態において、図１（ａ）（ｂ）乃至図３に示す第１の実施の形態および図４（ａ）（ｂ）に示す第２の実施の形態と同一部分には同一符号を付して詳細な説明は省略する。
【００４５】
図５（ａ）（ｂ）に示すように、各側面１３の耳部１３ａと天井１４とを貫通してジャッキアップボルト３０が設けられている。そしてこのジャッキアップボルト３０の頭部３０ａにモーター軸３５ｂを介してモーター（調整機構）３５ａが連結され、このモーター３５ａによってジャッキアップボルト３０を回動させることができる。ところで、ジャッキアップボルト３０に連結されたモーター３５ａは、遠隔操作スイッチ３６により遠隔操作される。
【００４６】
次にこのような構成からなる本実施の形態の作用について説明する。
【００４７】
まず図５（ａ）（ｂ）に示すように、エレベータの乗りかご用かご室１１において、各側面１３の上端と天井１４との間の隙間にスペーサー３３を介在させ、ジャッキアップボルト３０に取付けられた上部ナット３１を天井１４に対して締め付けるとともに、下部ナット３２を側面１３の耳部１３ａに対して締め付ける。このようにして天井１４は各側面１３に対して第１位置をとることができる（図５（ａ）に示す位置）。
【００４８】
天井１４を各側面１３に対して第１位置に固定した後、エレベータの乗りかご１０を運転することができる。
【００４９】
次にエレベータの乗りかご１０の保守点検時に、ジャッキアップボルト３０に取付けられた上部ナット３１を天井１４から緩めるとともに、下部ナット３２を側面１３の耳部１３ａから緩める。次に各側面１３の上端と天井１４との間からスペーサー３３を取外し、次に遠隔操作スイッチ３６によりモーター３５ａを駆動してジャッキアップボルト３０の頭部３０ａを回動させて、各側面１３に対して天井１４を降下させる。
【００５０】
次に上部ナット３１を天井１４に対して締め付け、下部ナット３２を側面１３の耳部１３ａに対して締め付ける。このようにして各側面１３に対して天井１４を第２位置までもってきて固定することができる（図５（ｂ）に示す位置）。
【００５１】
このように各側面１３に対して天井１４を降下させて第２位置までもってくることによって、天井１４と上梁１７との間の距離を大きくとることができ、作業者は照明装置２１の蛍光灯２２の交換、清掃等の保守作業を天井１４と上梁１７との間の空間を利用して容易かつ簡単に行なうことができる。
【００５２】
また遠隔操作スイッチ３６によりモーター３５ａを駆動してジャッキアップボルト３０の頭部３０ａを回動させ、このことにより天井１４を上昇または降下させることができる。このため、天井１４の昇降作業を容易に行なうことができる。
【００５３】
第４の実施の形態
次に本発明の第４の実施の形態について、図６（ａ）（ｂ）により説明する。図６（ａ）（ｂ）に示す第４の実施の形態は各側板１３と天井１４との連結構造が異なるのみであり、他の構成は図１（ａ）（ｂ）乃至図３に示す第１の実施の形態と同一である。
【００５４】
図６（ａ）（ｂ）に示す第４の実施の形態において、図１（ａ）（ｂ）乃至図３に示す第１の実施の形態と同一部分には同一符号を付して詳細な説明は省略する。
【００５５】
図４（ａ）（ｂ）に示すように、天井１４は側板１３間に延びる水平板１４と、水平面１４の周縁から上方へ立ち上がる立上板１４ｂと、立上板１４ｂの上端から水平方向外方に延びる耳部１４ｃと、耳部１４ｃから垂直方向上方に延びる垂直板１４ｄとを有している。そして各側面１３の耳部１３ａと天井１４の耳部１４ｂとを貫通してジャッキアップボルト３０が設けられている。そして天井１４が第１位置にあるとき、各側面１３の上方部分１３ｂは側方からみたとき、立上板１４ｂと互いに重なり合う。このため天井１４の耳部１４ｃと、側面１３の耳部１３ａとの間の間隙は、立上板１４ｂにより覆われる。
【００５６】
次にこのような構成からなる本実施の形態の作用について説明する。
【００５７】
まず図６（ａ）（ｂ）に示すように、エレベータの乗りかご用かご室１１において、天井１４を第１位置にもってきて、各側面１３の耳部１３ａと天井１４の耳部１４ａとの間の隙間を天井１４の立上板１４ｂにより覆う。次にジャッキアップボルト３０に取付けられた上部ナット３１を天井１４に対して締め付けるとともに、下部ナット３２を側面１３の耳部１３ａに対して締め付ける。このようにして天井１４は各側面１３に対して第１位置をとることができる（図６（ａ）に示す位置）。
【００５８】
天井１４を各側面１３に対して第１位置に固定した後、エレベータの乗りかご１０を運転することができる。
【００５９】
次にエレベータの乗りかご１０の保守点検時に、ジャッキアップボルト３０に取付けられた上部ナット３１を天井１４から緩めるとともに、下部ナット３２を側面１３の耳部１３ａから緩める。次にジャッキアップボルト３０の頭部３０ａを回動させて、各側面１３に対して天井１４を降下させる。
【００６０】
次に上部ナット３１を天井１４に対して締め付け、下部ナット３２を側面１３の耳部１３ａに対して締め付ける。このようにして各側面１３に対して天井１４を第２位置までもってきて固定することができる。
【００６１】
このように各側面１３に対して天井１４を降下させて第２位置までもってくることによって、天井１４と上梁１７との間の距離を大きくとることができ、作業者は照明装置２１の蛍光灯２２の交換、清掃等の保守作業を天井１４と上梁１７との間の空間を利用して容易かつ簡単に行なうことができる。
【００６２】
また各側面１３に対して天井１４を上昇させた第１位置にもってきた場合であっても（図６（ｂ）の位置）、側面１３の耳部１３ａと天井１４の耳部１４ｃとの間の間隙を天井１４の立上板１４ｂにより覆うことができる。このため側面１３の耳部１３ａと天井１４の耳部１４ｃとの間の間隙を覆うため、別個独立したスペーサーを準備する必要はない。
【００６３】
第５の実施の形態
次に本発明の第５の実施の形態について、図７および図８（ａ）−（ｆ）により説明する。図７および図８（ａ）−（ｆ）に示す第５の実施の形態において、上梁１７は一対の立枠１６，１６にそれぞれ連結された一対の端部１７ａ，１７ａと、一対の端部１７ａ，１７ａ間に位置し、この端部１７ａ，１７ａに連結された中央部１７ｂとを有している。
【００６４】
図７および図８（ａ）−（ｆ）に示す第５の実施の形態において、図１（ａ）（ｂ）乃至図３に示す第１の実施の形態と同一部分には同一符号を付して詳細な説明は省略する。
【００６５】
エレベータの乗りかご１０はエレベータの乗りかご用かご室１１と、鉛直方向に延び乗りかご用かご室１１を支持する一対の立枠１６と、水平方向に延び一対の立枠１６に連結されるとともに乗りかご用かご室１１の上方に位置する上梁１７と、水平方向に延び一対の立枠１６に連結されるとともに乗りかご用かご室１１の下方に位置する下梁１５とを備えている。
【００６６】
また乗りかご用かご室１１は図７に示すように、底面１２と、底面１２に固定された４つの側面１３，１３，１３，１３と、各側面１３，１３，１３，１３に連結された天井１４とを有している。４つの側面１３，１３，１３，１３のうち、一つの側面１３は開閉用側面となっている。
【００６７】
さらにかご室１１の天井１４には照明装置２１が設置され、この照明装置２１には複数の蛍光灯２２が内蔵されている。またかご室１１の天井１４と上梁１７との間には所定の間隔が形成されている。
【００６８】
このような構成からなるエレベータの乗りかご１０において、上梁１７に連結棒４０を介して連結された支持板４１にロープ２０が取り付けられ、この乗りかご１０はロープ２０により吊り下げられて支持されている。
【００６９】
また上梁１７は一対の立枠１６，１６に各々連結された一対の端部１７ａ，１７ａと、一対の端部１７ａ，１７ａ間に位置する中央部１７ｂとを有し、中央部１７ｂは各端部１７ａに締結具４２により連結されている。
【００７０】
ところで、エレベータの乗りかご用かご室１１において、各側面１３は耳部１３ａを有している。各側面１３と天井１４は、側面の耳部１３ａと天井１４にボルト２４を挿通させ、このボルト２４にナット２５を係合させることにより互いに固定される。
【００７１】
次にこのような構成からなる本実施の形態の作用について説明する。
【００７２】
まず図８（ａ）（ｂ）に示すように、エレベータの乗りかご１０において、上梁１７の一対の端部１７ａ，１７ａに中央部１７ｂが締結具４２により連結され、このようにして一対の端部１７ａ，１７ａと中央部１７ｂとが堅固に固定される。この状態でエレベータの乗りかご１０を運転することができる。
【００７３】
次にエレベータの乗りかごの保守点検時に、まず一対の端部１７ａ，１７ａと中央部１７ｂとを連結する締結具４２が取外され、締結具４２の代わりに、一対の端部１７ａ，１７ａ間に延びる連結材４５が一対の端部１７ａ，１７ａに各々固定される（図８（ｃ）（ｄ））。その後、一対の端部１７ａ，１７ａの間から中央部１７ｂが取外される（図８（ｅ）（ｆ））。
【００７４】
なお、一対の端部１７ａ，１７ａと中央部１７ｂとを連結する締結具４２を取外した後、一対の端部１７ａ，１７ａ間から中央部１７ｂを取外し、その後に一対の端部１７ａ，１７ａ間に連結材４５を設け、連結材４５を一対の端部１７ａ，１７ａに固定してもよい。
【００７５】
このように一対の端部１７ａ，１７ａ間から中央部１７ｂを取外すことによって、照明装置２１の上方に中央部１７ｂの配置領域に相当する空間を形成することができる。作業者は中央部１７ｂの配置領域に相当する空間から、照明装置２１の蛍光灯２２の交換、清掃等の保守作業を容易かつ簡単に行なうことができる。
【符号の説明】
【００７６】
１０    エレベータの乗りかご
１１    乗りかご用かご室
１２    底面
１３    側面
１３ａ  耳部
１４    天井
１４ａ  水平板
１４ｂ  立上板
１４ｃ  耳部
１５    下梁
１６    立枠
１７    上梁
１７ａ  端部
１７ｂ  中央部
２１    照明装置
２２    蛍光灯
３０    ジャッキアップボルト
３０ａ  頭部
３１    上部ナット
３２    下部ナット
３３    スペーサー
３５ａ  モーター
３５ｂ  モーター軸
３６    遠隔操作スイッチ
４２    締結具
４５    連結材
【図１】
2010173788.tif 000003
【図２】
2010173788.tif 000004
【図３】
2010173788.tif 000005
【図４】
2010173788.tif 000006
【図５】
2010173788.tif 000007
【図６】
2010173788.tif 000008
【図７】
2010173788.tif 000009
【図８】
2010173788.tif 000010
【図９】
2010173788.tif 000011
【図１０】
2010173788.tif 000012